(57)【要約】中継装置に接続されたインターフェースが使用可能か否かを、該インターフェースに接続されたアクセスノードに、知らせるための中継装置は、複数のアクセスノードに接続するように構成される。中継装置は、該中継装置を介して第１のアクセスノードと第２のアクセスノードとを接続するインターフェースが使用可能か否かを決定するよう構成されたプロセッサを有する。また、中継装置は、該プロセッサにおいて決定された結果に基づく情報を、該第１のアクセスノードと該第２のアクセスノードとの少なくとも一方に送信するよう構成された送信機とを有する。
2017047075.tif 000002
【特許請求の範囲】
【請求項１】
複数のアクセスノードに接続するように構成される中継装置であって、
前記中継装置を介して第１のアクセスノードと第２のアクセスノードとを接続するインターフェースが使用可能か否かを決定するよう構成されたプロセッサと、
前記プロセッサにおいて決定された結果に基づく情報を、前記第１のアクセスノードと前記第２のアクセスノードとの少なくとも一方に送信するよう構成された送信機とを有する、
中継装置。
【請求項２】
前記情報は、
前記インターフェースの使用を中断することを示す、
請求項１記載の中継装置。
【請求項３】
前記情報は、
前記インターフェースの使用を復旧することを示す、
請求項１記載の中継装置。
【請求項４】
前記複数のアクセスノードのうち少なくとも一つに対応する優先度を記憶するメモリを更に有する、
請求項１乃至３のいずれか一項に記載の中継装置。
【請求項５】
前記メモリに記憶された優先度のうち高い優先度に対応するアクセスノードに、前記情報を送信する、
請求項４記載の中継装置。
【請求項６】
前記メモリに記憶された優先度のうち低い優先度に対応するアクセスノードに、前記情報を送信しない、
請求項４記載の中継装置。
【請求項７】
前記優先度は、
前記優先度に対応づけられたアクセスノードの使用頻度に基づいて設定される、
請求項４乃至６のいずれか一項に記載の中継装置。
【請求項８】
中継装置に接続するアクセスノードであって、
前記中継装置を介して前記アクセスノードと他のアクセスノードとを接続するインターフェースが使用可能か否かに関する情報を前記中継装置から受信するように構成される受信機を有する、
アクセスノード。
【請求項９】
複数のアクセスノードに接続するように構成される中継装置の制御方法であって、
前記中継装置を介して第１のアクセスノードと第２のアクセスノードとを接続するインターフェースが使用可能か否かを決定し、
前記決定された結果に基づく情報を、前記第１のアクセスノードと前記第２のアクセスノードとの少なくとも一方に送信する、
中継装置の制御方法。
【請求項１０】
中継装置に接続するアクセスノードの制御方法であって、
前記中継装置を介して前記アクセスノードと他のアクセスノードとを接続するインターフェースが使用可能か否かに関する情報を前記中継装置から受信する、
アクセスノードの制御方法。
【発明の詳細な説明】
【技術分野】
【０００１】
本開示は、中継装置、アクセスノード、中継装置の制御方法、アクセスノードの制御方法に関する。
【背景技術】
【０００２】
中継装置を介して、複数のアクセスノードの間を接続するインターフェースが存在する。【０００３】
例えば、非特許文献１には、ＬＴＥ（Long Term Evolution）方式の無線通信システムが開示されている。この無線通信システムにおいて、コアネットワークを経由せずに制御信号またはユーザー信号を送受信するために、複数の無線基地局（eNB：eNodeB）がＸ２インターフェースで接続されている。【０００４】
また、この無線通信システムは、フェムトセル基地局（HeNB：Home eNodeB）を有する。該フェムトセル基地局は、Ｘ２インターフェースを介して、無線基地局（マクロセル基地局）に接続される。【０００５】
また、非特許文献１には、複数のフェムトセル基地局間またはフェムトセル基地局と無線基地局間とを接続するＸ２インターフェースの上に、Ｘ２ゲートウェイ（X2 GW：X2 GateWay）が示される。Ｘ２ゲートウェイは、基地局間の制御信号またはユーザー信号を中継する。
【先行技術文献】
【非特許文献】
【０００６】
【非特許文献１】３ＧＰＰ ＴＳ３６.３００（Ｖ１２.６.０）、「Ｅｖｏｌｖｅｄ Ｕｎｉｖｅｒｓａｌ Ｔｅｒｒｅｓｔｒｉａｌ Ｒａｄｉｏ Ａｃｃｅｓｓ（Ｅ-ＵＴＲＡ） ａｎｄ Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ（Ｅ-ＵＴＲＡＮ） Ｐｈｙｓｉｃａｌ Ｃｈａｎｎｅｌｓ」、２０１５年６月
【発明の概要】
【発明が解決しようとする課題】
【０００７】
上述のＸ２ゲートウェイのような中継装置は、システム再開（例えば再起動）する場合がある。この場合、この中継装置に接続されたインターフェースに係るコネクションがすべて切断される。切断されたコネクションを再確立するために、無線基地局等のアクセスノードは、制御信号を中継装置に送信する可能性がある。中継装置に接続されたアクセスノードの数が多くなればなるほど、制御信号は大量に発生するおそれがある。【０００８】
これは、中継装置に接続されたインターフェースが使用可能か否かを、該インターフェースに接続されたアクセスノードに、知らせることができないことに起因する。【０００９】
そこで、例示的な実施形態は、中継装置に接続されたインターフェースが使用可能か否かを、該インターフェースに接続されたアクセスノードに、知らせることができる仕組みを提供することを目的とする。
【課題を解決するための手段】
【００１０】
例示的な実施形態の中継装置は、複数のアクセスノードに接続するように構成される。中継装置は、前記中継装置を介して第１のアクセスノードと第２のアクセスノードとを接続するインターフェースが使用可能か否かを決定するよう構成されたプロセッサを有する。また、中継装置は、前記プロセッサにおいて決定された結果に基づく情報を、前記第１のアクセスノードと前記第２のアクセスノードとの少なくとも一方に送信するよう構成された送信機とを有する。【００１１】
他の例示的な実施形態のアクセスノードは、中継装置に接続する。アクセスノードは、前記中継装置を介して前記アクセスノードと他のアクセスノードとを接続するインターフェースが使用可能か否かに関する情報を前記中継装置から受信するように構成される受信機を有する。【００１２】
他の例示的な実施形態の制御方法は、複数のアクセスノードに接続するように構成される中継装置のためのものである。当該制御方法は、前記中継装置を介して第１のアクセスノードと第２のアクセスノードとを接続するインターフェースが使用可能か否かを決定すること、前記決定された結果に基づく情報を、前記第１のアクセスノードと前記第２のアクセスノードとの少なくとも一方に送信すること、を有する。【００１３】
他の例示的な実施形態の制御方法は、中継装置に接続するアクセスノードのためのものである。当該制御方法は、前記中継装置を介して前記アクセスノードと他のアクセスノードとを接続するインターフェースが使用可能か否かに関する情報を前記中継装置から受信する。
【発明の効果】
【００１４】
例示的な実施形態によれば、中継装置に接続されたインターフェースが使用可能か否かを、該インターフェースに接続されたアクセスノードに、知らせることができる。
【図面の簡単な説明】
【００１５】
【図１】第１の例示的な実施形態に係る無線通信システムを示す。
【図２】第１の例示的な実施形態に係るＸ２ゲートウェイを示す。
【図３】第１の例示的な実施形態に係る無線基地局を示す。
【図４】第１の例示的な実施形態に係るコネクション管理テーブルを示す。
【図５】第１の例示的な実施形態に係るＸ２  Ｓｕｓｐｅｎｄメッセージの例を示す。
【図６】第１の例示的な実施形態に係るＸ２  Ｒｅｓｕｍｅメッセージの例を示す。
【図７】第１の例示的な実施形態に係る無線通信システムの動作を示す。
【図８】第２の例示的な実施形態に係る無線基地局を示す。
【図９】第２の例示的な実施形態に係る無線通信システムの動作を示す。
【図１０】第３の例示的な実施形態に係る無線通信システムの動作を示す。
【図１１】第４の例示的な実施形態に係る無線通信システムを示す。
【図１２】第４の例示的な実施形態に係る中継装置を示す。
【図１３】第４の例示的な実施形態に係るアクセスノードを示す。
【発明を実施するための形態】
【００１６】
例示的な実施形態について、図面を参照して詳細に説明する。各図面において、同一又は対応する要素には同一の符号が付されており、説明の明確化のため、必要に応じて重複説明は省略される。以下に説明される複数の例示的な実施形態は、独立に実施されることもできるし、適宜組み合わせて実施されることもできる。
【００１７】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてＨｅＮＢ３０ＡまたはＨｅＮＢ３０Ｂのように区別する。ただし、実質的に同一の機能構成を有する複数の構成要素の各々を特に区別する必要がない場合、同一符号のみを付する。例えば、ＨｅＮＢ３０ＡおよびＨｅＮＢ３０Ｂを特に区別する必要が無い場合には、単にＨｅＮＢ３０と称する。
【００１８】
１．第１の例示的な実施形態
第１の例示的な実施形態は、ＬＴＥ方式の無線通信システムに係る。
【００１９】
図１は、第１の例示的な実施形態に係る無線通信システムを示す。本実施形態の無線通信システムは、Ｘ２ＧＷ１０、ｅＮＢ２０、ＨｅＮＢ３０、ＥＰＣ（Evolved Packet Core）４０、ＵＥ（User Equipment）７０、管理装置８０を有する。
【００２０】
Ｘ２ＧＷ１０は、ｅＮＢ２０とＸ２インターフェース６０Ｃを介して接続される。Ｘ２ＧＷ１０は、ＨｅＮＢ３０ＡとＸ２インターフェース６０Ａを介して接続される。Ｘ２ＧＷ１０は、ＨｅＮＢ３０ＢとＸ２インターフェース６０Ｂを介して接続される。
【００２１】
また、Ｘ２ＧＷ１０は、Ｘ２インターフェース６０に関する制御プロトコル（Ｘ２ＡＰ：X2 application protocol）に基づき、ｅＮＢ２０またはＨｅＮＢ３０からの制御信号（Ｘ２ＡＰ信号）を、他のｅＮＢ２０またはＨｅＮＢ３０に中継する。
【００２２】
ｅＮＢ２０は、マクロセル２１を形成する。ｅＮＢ２０は、マクロセル２１内に存在するユーザー端末（ＵＥ７０Ｃ）と、通信可能に構成される。ｅＮＢ２０は、Ｘ２ＧＷ１０を介して、ＨｅＮＢ３０（またはｅＮＢ２０）に、Ｘ２インターフェース６０で接続される。
【００２３】
この例では、ＨｅＮＢ３０ＡおよびＨｅＮＢ３０Ｂは、マクロセル２１内に設置されている。ＨｅＮＢ３０ＡおよびＨｅＮＢ３０Ｂは、マクロセル２１の外に設置されてもよい。例えば、マクロセル２１の近傍にＨｅＮＢ３０ＡおよびＨｅＮＢ３０Ｂが設置されてもよい。
【００２４】
ＨｅＮＢ３０Ａは、フェムトセル３１Ａを形成する。ＨｅＮＢ３０Ｂは、フェムトセル３１Ｂを形成する。ＨｅＮＢ３０Ａは、フェムトセル３１Ａ内に存在するＵＥ７０Ａと、通信可能に構成される。ＨｅＮＢ３０Ｂは、フェムトセル３１Ｂ内に存在するＵＥ７０Ｂと、通信可能に構成される。
【００２５】
ＥＰＣ４０は、コアネットワークである。ＥＰＣ４０は、少なくとも一つのコアネットワーク装置から構成されてもよい。例えば、ＥＰＣ４０は、ＭＭＥ(Mobility Management Entity)、Ｓ−ＧＷ(Serving Gateway)、Ｐ−ＧＷ(Packet Data Network (PDN) Gateway)の少なくとも一つを有する。
【００２６】
ＥＰＣ４０は、ＵＥ７０とのデータ送受信またはＵＥ７０の制御を行う。
【００２７】
ＥＰＣ４０は、ｅＮＢ２０とＳ１インターフェース５０Ｃで接続される。ＥＰＣ４０は、ＨｅＮＢ３０ＡとＳ１インターフェース５０Ａで接続される。ＥＰＣ４０は、ＨｅＮＢ３０ＢとＳ１インターフェース５０Ｂで接続される。
【００２８】
管理装置８０は、Ｘ２ＧＷ１０に接続する。管理装置８０は、Ｘ２ＧＷ１０を制御するように構成される。ここで、制御とは、例えば、Ｘ２ＧＷ１０の保守または監視を行うことを含む。例えば、管理装置８０は、Ｘ２ＧＷ１０の稼働状況などを監視または記録し、異常や予兆が検出された場合に、Ｘ２ＧＷ１０を制御またはＸ２ＧＷ１０を管理する管理端末に通知するように構成されてもよい。管理装置８０は、エレメント管理システム（ＥＭＳ：Element Management System）またはネットワーク管理システム（ＮＭＳ：Network Management System）であってもよい。
【００２９】
なお、Ｘ２ＧＷ１０は、複数であってもよい。ｅＮＢ２０は、複数であってもよい。ＨｅＮＢ３０は、３つ以上であってもよい。Ｘ２インターフェース６０は、４つ以上であってもよい。Ｓ１インターフェース５０は、４つ以上であってもよい。
【００３０】
図２は、第１の例示的な実施形態に係るＸ２ゲートウェイを示す。
【００３１】
図２において、Ｘ２ＧＷ１０は、第１の送受信部１１０、第２の送受信部１２０、プロセッサ１３０、メモリ１４０を有する。
【００３２】
第１の送受信部１１０は、ｅＮＢ２０またはＨｅＮＢ３０との間のＸ２インターフェース６０上の信号を送受信するよう構成される。
【００３３】
第２の送受信部１２０は、管理装置８０と制御信号を送受信するよう構成される。
【００３４】
プロセッサ１３０は、Ｘ２接続管理コンポーネント１３１と制御コンポーネント１３２とを有する。
【００３５】
Ｘ２接続管理コンポーネント１３１は、Ｘ２ＡＰプロトコルに関する処理を行うように構成される。Ｘ２接続管理コンポーネント１３１は、後述するコネクション管理テーブル４００に格納された情報に基づきＸ２インターフェース６０における信号の中継制御を行うことができる。
【００３６】
また、Ｘ２接続管理コンポーネント１３１は、Ｘ２ＧＷ１０のシステムを再開する時に、Ｘ２インターフェース６０で接続された無線基地局（ｅＮＢ２０またはＨｅＮＢ３０）に、Ｘ２インターフェース６０の利用（使用）を中断するための通知を行うように構成される。
【００３７】
また、Ｘ２接続管理コンポーネント１３１は、Ｘ２ＧＷ１０のシステムの再開を完了する時に、Ｘ２インターフェース６０で接続された無線基地局（ｅＮＢ２０またはＨｅＮＢ３０）に、Ｘ２インターフェース６０の利用を再開するための通知を行うように構成される。なお、当該通知は、制御コンポーネント１３２からの指示に基づき、行われてもよい。
【００３８】
Ｘ２インターフェース６０の利用を中断するための通知（Ｘ２中断メッセージ）は、Ｘ２  Ｓｕｓｐｅｎｄメッセージであってもよい。Ｘ２インターフェース６０の利用を再開するための通知は（Ｘ２復旧メッセージ）、Ｘ２  Ｒｅｓｕｍｅメッセージであってもよい。
【００３９】
制御コンポーネント１３２は、Ｘ２ＧＷ１０全体の制御を行うように構成される。例えば、第２の送受信部１２０が管理装置８０から制御信号を受信したとき、制御コンポーネント１３２は、受信した制御信号に基づき、Ｘ２接続管理コンポーネント１３１に、Ｘ２ＧＷ１０のシステム再開開始またはシステム再開完了を指示する。
【００４０】
メモリ１４０は、Ｘ２ＧＷ１０に必要な情報を記憶するよう構成される。メモリ１４０は、Ｘ２ＧＷ１０のシステム再開が生じた後も、当該情報を記憶し続けることができる。また、メモリ１４０は、コネクション管理テーブル４００を有する。
【００４１】
コネクション管理テーブル４００は、Ｘ２ＧＷ１０に接続された無線基地局（ｅＮＢ２０またはＨｅＮＢ３０）の利用頻度（使用頻度）に応じて設定された優先度に関する優先度情報を記憶するよう構成される。利用頻度が高い無線基地局に対して、高い優先度情報が設定される。利用頻度が低い無線基地局に対して、低い優先度情報が設定される。この設定は、所定の判断基準に基づき行われる。
【００４２】
なお、Ｘ２ＡＰプロトコルのResource Status Reporting Initiation手順を用いて、Ｘ２ＧＷ１０に接続されているｅＮＢ２０またはＨｅＮＢ３０の通信状況が周期的に収集され、メモリ１４０に記憶されてもよい。例えば、Ｘ２ＧＷ１０は、収集された通信状況から、無線基地局の利用頻度（またはサービス利用状況）に関する情報を、取得できる。この取得した利用頻度に関する情報に基づき、無線基地局の優先度が設定されてもよい。
【００４３】
Ｘ２ＧＷ１０は、ｅＮＢ２０またはＨｅＮＢ３０が送信する制御信号（Ｘ２ＡＰ信号ともいう）を適切な宛先に対応するｅＮＢ２０またはＨｅＮＢ３０に送信するルーティング機能を有してもよい。
【００４４】
なお、Ｘ２接続管理コンポーネント１３１は、優先度に応じて適切なタイミングで、Ｘ２中断メッセージまたはＸ２復旧メッセージを送信するよう制御することができる。例えば、Ｘ２ＧＷ１０のシステムが再開される時に、Ｘ２中断メッセージを送信するよう制御してもよい。また、Ｘ２ＧＷ１０のシステム再開が完了する時に、Ｘ２復旧メッセージを送信するよう制御してもよい。
【００４５】
Ｘ２接続管理コンポーネント１３１は、制御コンポーネント１３２とは別のプロセッサで構成されてもよい。第１の送受信部１１０およびプロセッサ１３０は、単一のプロセッサで構成されてもよい。プロセッサ１３０とメモリ１４０は、単一のプロセッサで構成されてもよい。
【００４６】
図３は、第１の例示的な実施形態に係る無線基地局を示す。
【００４７】
図３において、無線基地局であるｅＮＢ２０は、トランシーバ２１０と、プロセッサ２２０とメモリ２３０とを有する。ＨｅＮＢ３０もｅＮＢ２０と同様の構成であってもよい。
【００４８】
トランシーバ２１０は、Ｘ２中断メッセージまたはＸ２復旧メッセージを受信するように構成される。
【００４９】
プロセッサ２２０は、受信したＸ２中断メッセージまたはＸ２復旧メッセージに基づき、ｅＮＢ２０に接続されるＸ２インターフェース６０の使用を中断または再開する制御を行うよう構成される。例えば、プロセッサ２２０は、Ｘ２中断メッセージを受信した時、Ｘ２インターフェース６０に係るＸ２コネクションを用いた通信を停止するよう制御を行う。また、例えば、プロセッサ２２０は、Ｘ２復旧メッセージを受信した時、Ｘ２インターフェース６０に係るＸ２コネクションを用いた通信を再開するよう制御を行う。
【００５０】
メモリ２３０は、受信したＸ２中断メッセージまたはＸ２復旧メッセージに関する情報を記憶するよう構成される。
【００５１】
図４は、第１の例示的な実施形態に係るコネクション管理テーブルの一例を示す。コネクション管理テーブル４００は、Ｘ２ＧＷ１０のメモリ１４０の内に含まれる。
【００５２】
コネクション管理テーブル４００は、Ｘ２インターフェース６０上のコネクション（Ｘ２コネクションともいう）に関する情報を記憶する。コネクション管理テーブル４００には、少なくとも一つのＸ２コネクションに対応する情報が記憶されている。
【００５３】
Ｘ２コネクションに対応する情報は、ブロック単位で管理されている。当該ブロックは、図４の例では、Ｘ２コネクション管理ブロック４０１として示される。
【００５４】
Ｘ２コネクション管理ブロック４０１は、Ｘ２コネクションの一方に接続される無線基地局の情報として、ｅＮＢ  ＩＤ（identifier）＃１、アドレス情報＃１、優先度＃１を含む。また、Ｘ２コネクション管理ブロック４０１は、Ｘ２コネクションの他方に接続される無線基地局の情報として、ｅＮＢ  ＩＤ＃２、アドレス情報＃２、優先度＃２を含む。
【００５５】
ｅＮＢ  ＩＤ＃１及びｅＮＢ  ＩＤ＃２は、無線基地局を識別する情報である。例えば、ｅＮＢ  ＩＤ＃１及びｅＮＢ  ＩＤ＃２は、Ｘ２ＡＰ信号で無線基地局を識別するためのＧｌｏｂａｌ  ｅＮＢ  ＩＤであってもよい。
【００５６】
アドレス情報＃１及びアドレス情報＃２は、無線基地局のＩＰアドレスに関する情報であってもよい。
【００５７】
優先度＃１及び優先度＃２は、再開完了時の処理優先度を判断するための情報であって、例えば、高優先または低優先を識別するためのものである。
【００５８】
Ｘ２コネクション管理ブロック４０１は、Ｘ２ＧＷ１０が中継する少なくとも一つのＸ２コネクションの接続管理を行うために用いられる。
【００５９】
図５は、第１の例示的な実施形態に係るＸ２  Ｓｕｓｐｅｎｄメッセージの例を示す。
【００６０】
Ｍｅｓｓａｇｅ  Ｔｙｐｅ５０１は、Ｘ２ＡＰメッセージの種別を示すものである。
【００６１】
Ｓｕｓｐｅｎｄｅｄ  Ｔｉｍｅ５０２は、Ｘ２コネクションを中断するための時間が示される。無線基地局（ｅＮＢ２０またはＨｅＮＢ３０）がＸ２  Ｓｕｓｐｅｎｄメッセージを受信すると、無線基地局に設けられたタイマーがスタートする。起動してからＳｕｓｐｅｎｄｅｄ  Ｔｉｍｅ５０２が示す時間経過した後、Ｘ２コネクションの中断が復旧しない場合、無線基地局は、Ｘ２コネクションは切断されたと判断する。
【００６２】
Ｓｕｓｐｅｎｄｅｄ  ｔａｒｇｅｔ  ｅＮＢ  list５０３は、中断する対象であるｅＮＢ２０またはＨｅＮＢ３０のリストである。Ｘ２  Ｓｕｓｐｅｎｄメッセージを受信したｅＮＢ２０およびＨｅＮＢ３０は、このリストに設定された無線基地局すべてとの間のＸ２コネクションが中断されたと認識する。リストには、少なくとも一つのＴａｒｇｅｔ  ｅＮＢ  ＩＤ５０４が含まれる。
【００６３】
図６は、第１の例示的な実施形態に係るＸ２  Ｒｅｓｕｍｅメッセージの例を示す。
【００６４】
Ｍｅｓｓａｇｅ  Ｔｙｐｅ６０１は、Ｘ２ＡＰメッセージの種別を示すものである。
【００６５】
Ｒｅｓｕｍｅｄ  ｔａｒｇｅｔ  ｅＮＢ  list６０２は、Ｘ２コネクションを再開させる対象であるｅＮＢ２０またはＨｅＮＢ３０のリストである。このリストには、少なくとも一つのＴａｒｇｅｔ  ｅＮＢ  ＩＤ６０３が含まれる。Ｘ２  Ｒｅｓｕｍｅメッセージを受信したｅＮＢ２０およびＨｅＮＢ３０は、このリストに設定された無線基地局すべてとの間のＸ２コネクションが再開されたと認識する。
【００６６】
図７は、第１の例示的な実施形態に係る無線通信システムの動作を示す。
【００６７】
図７のＳ１からＳ６は、Ｘ２コネクション接続時の動作が示す。
【００６８】
Ｓ１において、ｅＮＢ２０はＸ２ＧＷ１０に、Ｘ２ＡＰ  Ｍｅｓｓａｇｅ  Ｔｒａｎｓｆｅｒメッセージを用いて、Ｘ２  Ｓｅｔｕｐ  Ｒｅｑｕｅｓｔメッセージを、Ｘ２ＧＷ１０に送信する。
【００６９】
Ｓ２において、Ｘ２ＧＷ１０は、Ｘ２ＡＰ  Ｍｅｓｓａｇｅ  Ｔｒａｎｓｆｅｒメッセージを用いて、Ｘ２  Ｓｅｔｕｐ  Ｒｅｑｕｅｓｔメッセージを、ＨｅＮＢ３０Ａへ送信する。Ｓ１及びＳ２によれば、Ｘ２  Ｓｅｔｕｐ  Ｒｅｑｕｅｓｔメッセージが、ｅＮＢ２０からＨｅＮＢ３０Ａに、Ｘ２ＧＷ１０を経由して送信される。
【００７０】
Ｓ３において、ＨｅＮＢ３０Ａは、Ｘ２ＡＰ  Ｍｅｓｓａｇｅ  Ｔｒａｎｓｆｅｒメッセージを用いて、Ｘ２  Ｓｅｔｕｐ  ＲｅｓｐｏｎｓｅメッセージをＸ２ＧＷ１０に送信する。
【００７１】
Ｓ４において、Ｘ２ＧＷ１０は、Ｘ２ＡＰ  Ｍｅｓｓａｇｅ  Ｔｒａｎｓｆｅｒメッセージを用いて、Ｘ２  Ｓｅｔｕｐ  ＲｅｓｐｏｎｓｅメッセージをｅＮＢ２０に送信する。Ｓ３及びＳ４によれば、Ｘ２  Ｓｅｔｕｐ  Ｒｅｓｐｏｎｓｅメッセージが、ＨｅＮＢ３０ＡからｅＮＢ２０に、Ｘ２ＧＷ１０を経由して送信される。
【００７２】
Ｓ５において、Ｘ２ＧＷ１０は、ｅＮＢ２０とＨｅＮＢ３０Ａとの間でＸ２コネクションが設定されたことを認識する。より具体的には、Ｘ２ＧＷ１０のＸ２接続管理コンポーネント１３１が、コネクション管理テーブル４００のＸ２コネクション管理ブロック４０１に、ｅＮＢ２０およびＨｅＮＢ３０ＡのｅＮＢ  ＩＤ情報およびアドレス情報を登録する。なお、ｅＮＢ  ＩＤ情報およびアドレス情報の一方のみを登録してもよい。なお、Ｓ５はＳ３とＳ４の間に実行されてもよい。
【００７３】
Ｓ６において、Ｓ１からＳ５と同様のプロセスを行い、ｅＮＢ２０がＨｅＮＢ３０Ｂに接続する際に、ｅＮＢ２０とＨｅＮＢ３０ＢとのＸ２コネクション接続を行う。この結果、コネクション管理テーブル４００のＸ２コネクション管理ブロック４０１に、ｅＮＢ２０およびＨｅＮＢ３０ＢのｅＮＢ  ＩＤ情報およびアドレス情報が登録される。
【００７４】
上述のＳ１〜Ｓ６によって、Ｘ２ＧＷ１０は、コネクション管理テーブル４００に登録されたＸ２コネクションに係る無線基地局の情報を知ることができる。
【００７５】
図７のＳ７〜Ｓ１６は、Ｘ２ＧＷ１０が運用中の動作を示す。
【００７６】
Ｓ７において、コネクション管理テーブル４００に含まれるｅＮＢ２０またはＨｅＮＢ３０に対する優先度判定を行い、優先度情報を登録する。
【００７７】
例えば、Ｘ２接続管理コンポーネント１３１は、ｅＮＢ２０またはＨｅＮＢ３０の情報を収集する。収集するタイミングは、所定の周期または所定のトリガに基づく時である。収集する方法は、例えば、Ｘ２ＡＰのResource Status Reporting Initiation手順を用いることができる。収集する情報は、例えば、ｅＮＢ２０またはＨｅＮＢ３０の通信不可状態である。Ｘ２ＧＷ１０は収集した収集情報から、各無線基地局（ｅＮＢ２０またはＨｅＮＢ３０）におけるサービス利用頻度が高いか低いかを、判定する。この判定は、収集した全ての情報に基づき行われてもよい。またこの判定は、DL S1 TNL(Transport Network Layer) Load Indicator、UL S1TNL Load Indicator、Hardware Load Indicator、Radio Resource Status、Composite Available Capacity Group等の情報のうち少なくとも一つに基づいて、判断されてもよい。この判定は、予め設定された判定基準（所定の閾値）に基づいて、実行される。例えば、サービス利用頻度が所定の閾値よりも高い無線基地局については、高い優先度を設定される。一方、サービス利用頻度が所定の閾値よりも低い無線基地局については、低い優先度が設定される。優先度は、優先度順に、１、２、３・・・Ｎ番といった番号が設定されてもよい。
【００７８】
図７の例では、Ｓ７の結果、ｅＮＢ２０とＨｅＮＢ３０Ａに対して高い優先度が設定され、ＨｅＮＢ３０Ｂに低い優先度が設定される。例えば、図４のＸ２コネクション管理ブロック４０１において優先度を示すブロックに、優先度情報として設定される。ここで、図４のコネクション管理テーブル４００の構成はあくまで一例である。無線基地局ごとに、接続先の無線基地局を登録する形式でもよい。また、ｅＮＢ２０とＨｅＮＢ３０とを、ｅＮＢ  ＩＤ情報を用いて区別し、ｅＮＢ２０については、常に高い優先度と判断されるように構成されてもよい。
【００７９】
Ｓ８において、Ｘ２ＧＷ１０のシステム再開が決定される。例えば、管理装置８０からの制御信号に基づき、システム再開が決定される。
【００８０】
Ｓ９からＳ１１において、Ｘ２ＧＷ１０のＸ２接続管理コンポーネント１３１は、Ｘ２コネクション管理ブロック４０１に登録された全ての無線基地局（この場合、ｅＮＢ２０、ＨｅＮＢ３０Ａ、ＨｅＮＢ３０Ｂ）に対して、Ｘ２  Ｓｕｓｐｅｎｄメッセージを送信する。Ｘ２  Ｓｕｓｐｅｎｄメッセージを受信した無線基地局（ｅＮＢ２０、ＨｅＮＢ３０Ａ、ＨｅＮＢ３０Ｂ）は、Ｘ２ＧＷ１０を経由したＸ２コネクションの利用が中断されることを認識する。
【００８１】
Ｓ１２において、システム再開が完了する。Ｘ２ＧＷ１０は、Ｘ２接続管理コンポーネント１３１に登録されている全ての無線基地局（ｅＮＢ２０、ＨｅＮＢ３０Ａ、ＨｅＮＢ３０Ｂ）の優先度を確認する。ここでは、ｅＮＢ２０とＨｅＮＢ３０Ａに対して、高い優先度が設定されている。
【００８２】
Ｓ１３において、Ｘ２ＧＷ１０は、ＨｅＮＢ３０Ａに対して、接続対象であるｅＮＢ２０のｅＮＢ  ＩＤ情報をＴａｒｇｅｔ  ｅＮＢ  ＩＤ６０３に設定したＸ２  Ｒｅｓｕｍｅメッセージを送信する。
【００８３】
Ｓ１４において、Ｘ２ＧＷ１０は、ｅＮＢ２０に対して、接続対象であるＨｅＮＢ３０ＡのｅＮＢ  ＩＤ情報をＴａｒｇｅｔ  ｅＮＢ  ＩＤ６０３に設定したＸ２  Ｒｅｓｕｍｅメッセージを送信する。
【００８４】
Ｓ１３およびＳ１４によれば、優先度が高いｅＮＢ２０またはＨｅＮＢ３０Ａに関連するＸ２コネクションが、優先してサービス復旧され得る。
【００８５】
次に、低い優先度が設定された残りのＸ２コネクション（ｅＮＢ２０とＨｅＮＢ３０Ｂとの間のコネクション）について示される。
【００８６】
Ｓ１５において、Ｘ２ＧＷ１０は、ＨｅＮＢ３０Ｂに対して、接続対象であるｅＮＢ２０のｅＮＢ  ＩＤ情報をＴａｒｇｅｔ  ｅＮＢ  ＩＤ６０３に設定したＸ２  Ｒｅｓｕｍｅメッセージを送信する。
【００８７】
Ｓ１６において、Ｘ２ＧＷ１０は、ｅＮＢ２０に対して、接続対象であるＨｅＮＢ３０ＢのｅＮＢ  ＩＤ情報をＴａｒｇｅｔ  ｅＮＢ  ＩＤ６０３に設定したＸ２  Ｒｅｓｕｍｅメッセージを送信する。
【００８８】
これによって、中断された全てのＸ２コネクションが再開される。
【００８９】
なお、低い優先度のＸ２コネクションに対するＸ２  Ｒｅｓｕｍｅメッセージは、Ｘ２ＧＷ１０のＸ２接続管理コンポーネント１３１によって予め設定されたタイマーに基づき、送信されてもよい。例えば、Ｓ８の後またはＳ９〜Ｓ１１の送信後の所定時間経過後に、当該Ｘ２  Ｒｅｓｕｍｅメッセージが送信されてもよい。
【００９０】
上述のとおり、中継装置であるＸ２ＧＷ１０に接続されたＸ２インターフェースが使用可能か否かを、該Ｘ２インターフェースに接続されたｅＮＢ２０またはＨｅＮＢ３０に、知らせることができる。
【００９１】
例えば、図１に示されるマクロセル２１に、多数のＨｅＮＢ３０が設置される状況において、Ｘ２ＧＷ１０とＨｅＮＢ３０との間に多数のＸ２インターフェース６０が形成される。このような状況下において、Ｘ２ＧＷ１０が、保守オペレーション、障害等の何らかの要因で再起動が発生した場合に、Ｘ２ＧＷ１０に接続される全てのＸ２インターフェース６０が切断される。この場合、Ｘ２ＧＷ１０が再起動する。Ｘ２ＧＷ１０の再起動中に、ｅＮＢ２０またはＨｅＮＢ３０から再度Ｘ２コネクションを確立するための制御信号が大量に発生する可能性がある。この場合、各ｅＮＢ２０、ＨｅＮＢ３０またはＥＰＣ４０に対して影響を与える可能性がある。例えば、Ｘ２ＧＷ１０がシステム再開中（再起動中）の場合、Ｘ２ＧＷ１０に対して送信されたＸ２コネクション確立要求は正しく処理されないおそれがある。このため、Ｘ２コネクション接続手順が繰り返されるおそれがある。特に、ｅＮＢ２０はマクロセル２１に存在する多くのｅＮＢ２０とＸ２コネクションを確立している可能性が高い。この結果、ｅＮＢ２０に大きな負荷が生じる問題が考えられる。
【００９２】
第１の例示的な実施形態によれば、事前に、Ｘ２ＧＷ１０に接続されたＸ２インターフェースが使用可能か否かを、該Ｘ２インターフェースに接続されたｅＮＢ２０またはＨｅＮＢ３０に、知らせることができる。このため、不要なシグナリングが生ずる問題が解決される。
【００９３】
Ｘ２ＧＷ１０がシステム再開完了したときに、Ｘ２ＧＷ１０に接続していた全てのｅＮＢ２０またはＨｅＮＢ３０が一斉にＸ２コネクション接続手順を行う可能性がある。この場合、Ｘ２ＧＷ１０やｅＮＢ２０（マクロ基地局）に処理負荷が集中する問題がある。
【００９４】
第１の例示的な実施形態によれば、明示的にＸ２ＧＷ１０が復旧するタイミングを通知することで、ｅＮＢ２０またはＨｅＮＢ３０は早期にＸ２コネクションを使用することができ、Ｘ２ＧＷ再開によるサービス・システムに与える影響を抑えることができる。
【００９５】
また、上述のように、Ｘ２コネクション接続要求を繰り返してもＸ２コネクションが再確立できない場合、ｅＮＢ２０またはＨｅＮＢ３０のメモリ内に登録されたＸ２コネクションに関する設定情報をクリアにする可能性がある。この場合、ｅＮＢ２０またはＨｅＮＢ３０が、例えば、ＴＮＬ  Ａｄｄｒｅｓｓ  Ｄｉｓｃｏｖｅｒｙ手順を行い、自局に隣接する基地局情報を収集する可能性がある。しかし、この場合、ＥＰＣ４０に対して、大量の制御メッセージが無線基地局から送信される可能性がある。
【００９６】
第１の例示的な実施形態によれば、明示的にＸ２ＧＷ１０が停止するタイミングを通知する。このため、コアネットワークに対してＴＮＬ  Ａｄｄｒｅｓｓ  Ｄｉｓｃｏｖｅｒｙ手順を行うことを避けることができる。このように不要なＳ１信号の送信を抑制できる。
【００９７】
２．第２の例示的な実施形態
第２の例示的な実施形態が、以下に示される。第２の例示的な実施形態は、第１の例示的な実施形態と基本的には同様の構成である。このため、第１の例示的な実施形態と同様の部分については、可能な限り説明が省略される。
【００９８】
図８は、第２の例示的な実施形態に係る無線基地局を示す。
【００９９】
図８において、ｅＮＢ２５は、トランシーバ２１０、メモリ２３０、タイマー２４０、プロセッサ２５０を有する。ＨｅＮＢ３５もｅＮＢ２５と同様である。
【０１００】
タイマー２４０には、Ｘ２ＧＷ１０から受信したＸ２  Ｓｕｓｐｅｎｄメッセージに含まれるＳｕｓｐｅｎｄｅｄ  Ｔｉｍｅ５０２の設定値が、設定される。
【０１０１】
プロセッサ２５０は、タイマー２４０が満了するまでに、Ｘ２  Ｒｅｓｕｍｅメッセージを受信しない場合、中断しているＸ２コネクションが復旧（利用可能である）したものと判断するよう構成される。
【０１０２】
図９は、第２の例示的な実施形態に係る無線通信システムの動作を示す。
【０１０３】
Ｘ２ＧＷ１０に接続するｅＮＢ２５、ＨｅＮＢ３５ＡおよびＨｅＮＢ３５Ｂは、タイマー２４０を有する。
【０１０４】
Ｓ２０において、図７のＳ１からＳ７と同様に、コネクション管理テーブル４００における各情報が設定される。
【０１０５】
Ｓ２１において、Ｘ２ＧＷ１０のシステム再開が決定される。
【０１０６】
Ｓ２２、Ｓ２３およびＳ２４において、Ｘ２ＧＷ１０は、接続中のｅＮＢ２５、ＨｅＮＢ３５Ａ、ＨｅＮＢ３５Ｂに対して、Ｘ２  Ｓｕｓｐｅｎｄメッセージを送信する。
【０１０７】
Ｓ２５、Ｓ２６、Ｓ２７において、ｅＮＢ２５、ＨｅＮＢ３５Ａ、ＨｅＮＢ３５Ｂは、Ｘ２  Ｓｕｓｐｅｎｄメッセージに設定されているＳｕｓｐｅｎｄｅｄ  Ｔｉｍｅ５０２の設定値を、タイマー２４０に設定し、タイマー２４０をスタートする。
【０１０８】
Ｓ２８において、システム再開が完了する。
【０１０９】
Ｓ２９において、優先度の高いＸ２コネクションに関連するＨｅＮＢ３５Ａに、Ｘ２  Ｒｅｓｕｍｅメッセージを送信する。
【０１１０】
Ｓ３０において、優先度の高いＸ２コネクションに関連するｅＮＢ２５に、Ｘ２  Ｒｅｓｕｍｅメッセージを送信する。
【０１１１】
ここで、Ｘ２  Ｒｅｓｕｍｅを受信したｅＮＢ２５、ＨｅＮＢ３５Ａは、中断していたＸ２コネクションの使用を再開する。
【０１１２】
Ｓ３１において、ＨｅＮＢ３５Ａは、ＨｅＮＢ３５Ａに関連する全てのＸ２コネクションが再開したため、タイマー２４０を停止する。
【０１１３】
ここで、ｅＮＢ２５は、中断しているＸ２コネクションを全て再開していないため、タイマー２４０（Ｘ２中断監視タイマともいう）を停止せずに、そのまま監視を続ける。
【０１１４】
Ｓ３２において、ｅＮＢ２５のタイマー２４０が満了する。この時、ｅＮＢ２５は、中断していたＸ２コネクションが十分に時間経過したことで中断解除されたと判断する。この後、Ｘ２コネクションの使用が再開する。
【０１１５】
Ｓ３３において、ＨｅＮＢ３５Ｂのタイマー２４０が満了する。この時、ＨｅＮＢ３５Ｂは、中断していたＸ２コネクションが十分に時間経過したことで中断解除されたと判断する。この後、Ｘ２コネクションの使用が再開する。
【０１１６】
このように、優先度の低いＸ２コネクション（ｅＮＢ２５とＨｅＮＢ３５Ｂとの間のコネクション）に関して、Ｘ２ＧＷ１０より明示的にＸ２  Ｒｅｓｕｍｅメッセージを送信せずとも、Ｘ２コネクションを復旧させることが可能となる。
【０１１７】
３．第３の例示的な実施形態
図１０は、第３の例示的な実施形態に係る無線通信システムの動作を示す。図１０は、図７に比べて、Ｓ４１、Ｓ４２、Ｓ４３、Ｓ４４、Ｓ４５、Ｓ４６が追加されている。
【０１１８】
本実施形態において、無線基地局が、ＥＰＣ４０に対して、Ｘ２ＧＷ１０がシステム再開（またはシステム停止）を通知する。
【０１１９】
Ｓ４１において、ｅＮＢ２０は、ＥＰＣ４０に、Ｘ２  Ｓｕｓｐｅｎｄメッセージに関連する情報を送信する。これによって、受信したＥＰＣ４０は、Ｘ２ＧＷ１０がシステム再開することを知ることができる。
【０１２０】
同様に、Ｓ４２において、ＨｅＮＢ３０Ａは、Ｘ２  Ｓｕｓｐｅｎｄメッセージに関連する情報を、ＥＰＣ４０に送信する。Ｓ４３において、ＨｅＮＢ３０Ｂは、Ｘ２  Ｓｕｓｐｅｎｄメッセージに関連する情報を、ＥＰＣ４０に送信する。
【０１２１】
ＥＰＣ４０（例えばＭＭＥ）は、所定の期間に、所定の数のＸ２  Ｓｕｓｐｅｎｄメッセージに関連する情報を受信した場合に、Ｘ２ＧＷ１０がシステム再開していると判断してもよい。
【０１２２】
また、本実施形態において、無線基地局が、Ｘ２ＧＷ１０がシステム再開（またはシステム停止）を完了し、復旧することを、ＥＰＣ４０に対して通知する。
【０１２３】
Ｓ４４において、ｅＮＢ２０は、Ｘ２  Ｒｅｓｕｍｅメッセージを受信すると、ＥＰＣ４０に対して、Ｘ２  Ｒｅｓｕｍｅメッセージに関連する情報を、ＥＰＣ４０に送信する。
【０１２４】
同様に、Ｓ４５において、ＨｅＮＢ３０Ａは、Ｘ２  Ｒｅｓｕｍｅメッセージに関連する情報を、ＥＰＣ４０に送信する。
【０１２５】
Ｓ４６において、ＨｅＮＢ３０Ｂは、Ｘ２  Ｒｅｓｕｍｅメッセージに関連する情報を、ＥＰＣ４０に送信する。
【０１２６】
これによって、受信したＥＰＣ４０は、Ｘ２ＧＷ１０がシステム再開を完了し、復旧することを知ることができる。
【０１２７】
なお、ＥＰＣ４０（例えばＭＭＥ）は、所定の期間に、所定の数のＸ２  Ｒｅｓｕｍｅメッセージに関連する情報を受信した場合に、Ｘ２ＧＷ１０がシステム再開を完了し、復旧していると判断してもよい。
【０１２８】
４．第４の例示的な実施形態
図１１は、第４の例示的な実施形態に係る無線通信システムを示す。
【０１２９】
無線通信システムは、複数のアクセスノード（２０００＿１・・・２０００＿ｍ・・・２０００＿ｎ）と中継装置１０００を有する。中継装置１０００は、複数のアクセスノード２０００と接続可能に構成される。
【０１３０】
図１１の例では、中継装置１０００は、中継装置１０００を介して第１のアクセスノード２０００＿１と第２のアクセスノード２０００＿ｍとを接続するインターフェース（６０００＿１及び６０００＿ｍ）が使用可能か否かに関する情報を、第１のアクセスノード２０００＿１と第２のアクセスノード２０００＿ｍとの少なくとも一方に送信する。
【０１３１】
なお、図中の記号「ｍ」と「ｎ」は任意の整数を示す。
【０１３２】
図１２は、第４の例示的な実施形態に係る中継装置を示す。図１２において、中継装置１０００は、プロセッサ１００１と送信機１００２を有する。
【０１３３】
プロセッサ１００１は、中継装置１０００を介して第１のアクセスノードと第２のアクセスノードとを接続するインターフェースが使用可能か否かを決定するよう構成される。
【０１３４】
送信機１００２は、プロセッサ１００１において決定された結果に基づく情報を、第１のアクセスノードと第２のアクセスノードとの少なくとも一方に送信するよう構成される。
【０１３５】
図１３は、第４の例示的な実施形態に係るアクセスノードを示す。図１３のアクセスノード２０００は、受信機２００１を有する。
【０１３６】
受信機２００１は、中継装置を介してアクセスノードと他のアクセスノードとを接続するインターフェースが使用可能か否かに関する情報を、中継装置から受信するように構成される。
【０１３７】
５．その他の例示的な実施形態
上記において、「システム再開」または「システム再開の完了」という用語を用いて、各種メッセージの送信タイミングを説明した。代わりに、Ｘ２中断メッセージは、Ｘ２ＧＷが停止する前に、関連する無線基地局に送信してもよい。また、Ｘ２復旧メッセージは、Ｘ２ＧＷが復旧する前に、関連する無線基地局に送信してもよい。
【０１３８】
本出願で使用する、「無線基地局」または「アクセスノード」等の用語について記載する。無線基地局またはアクセスノードは、1つまたは複数のワイヤレス端末との通信に使用することができ、アクセスポイント、ノード、進化型ノードB(eNB)、または他の何らかのネットワークエンティティの機能性の一部または全部を含み得る。基地局は、エアインターフェースを介してUEと通信する。この通信は、1つまたは複数のセクタを通って起こり得る。基地局は、受信したエアインターフェースフレームをIPパケットに変換することによって、UEと、インターネットプロトコル(IP)ネットワークを含み得るアクセスネットワークの残りとの間のルータとして作用し得る。基地局は、エアインターフェース用の属性の管理を調整することもでき、ワイヤードネットワークとワイヤレスネットワークとの間のゲートウェイであってもよい。
【０１３９】
本出願で使用する、「コンポーネント」、「システム」などの用語は、限定はしないが、ハードウェア、ファームウェア、ハードウェアとソフトウェアの組合せ、ソフトウェア、または実行中のソフトウェアなどのコンピュータ関連エンティティを含むものとする。
【０１４０】
たとえば、コンポーネントは、プロセッサ上で実行されるプロセス、プロセッサ、オブジェクト、実行ファイル、実行スレッド、プログラム、および/またはコンピュータであり得るが、これらに限定されない。
【０１４１】
例として、コンピューティングデバイス上で実行されるアプリケーションと、そのコンピューティングデバイスの両方が、コンポーネントであり得る。
【０１４２】
１つまたは複数のコンポーネントはプロセスおよび/または実行スレッド内に常駐することができ、１つのコンポーネントは１つのコンピュータ上に配置され、かつ/または２つ以上のコンピュータ間に分散される場合がある。
【０１４３】
加えて、これらのコンポーネントは、そこに記憶された様々なデータ構造を有する様々なコンピュータ可読媒体から実行することができる。これらのコンポーネントは、信号により、ローカルシステム、分散システム内の別のコンポーネントと対話し、かつ/またはインターネットなどのネットワークを介して他のシステムと対話する1つのコンポーネントからのデータなどの、1つまたは複数のデータパケットを有する信号などにより、ローカルプロセスおよび/またはリモートプロセスによって通信することができる。
【０１４４】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disc − Read Only Memory）、ＣＤ−Ｒ（Compact Disc − Recordable）、ＣＤ−Ｒ／Ｗ（Compact Disc − Rewritable）、ＤＶＤ−ＲＯＭ（Digital Versatile Disc − ROM）、ＤＶＤ−Ｒ（Digital Versatile Disc − Recordable）、ＤＶＤ−Ｒ／Ｗ（Digital Versatile Disc − Rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory）)を含む。
【０１４５】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１４６】
また、上述した各実施の形態は、適宜組み合わせて実施されることが可能である。また、本発明は、上述した各実施の形態に限定されず、様々な態様で実施されることが可能である。
【０１４７】
６．付記
前述の実施形態の一部または全部は、以下の各付記のようにも記載することができる。しかしながら、以下の各付記は、あくまでも、本発明の単なる例示に過ぎず、本発明は、かかる場合のみに限るものではない。
（付記１）
複数のアクセスノードに接続するように構成される中継装置であって、
前記中継装置を介して第１のアクセスノードと第２のアクセスノードとを接続するインターフェースが使用可能か否かを決定するよう構成されたプロセッサと、
前記プロセッサにおいて決定された結果に基づく情報を、前記第１のアクセスノードと前記第２のアクセスノードとの少なくとも一方に送信するよう構成された送信機とを有する、
中継装置。
（付記２）
前記情報は、
前記インターフェースの利用を中断することを示す、
付記１記載の中継装置。
（付記３）
前記情報は、
前記インターフェースの利用を復旧することを示す、
付記１記載の中継装置。
（付記４）
前記情報は、
Ｘ２  Ｓｕｓｐｅｎｄメッセージである、
付記２記載の中継装置。
（付記５）
前記情報は、
Ｘ２  Ｒｅｓｕｍｅメッセージである、
付記３記載の中継装置。
（付記６）
前記複数のアクセスノードのうち少なくとも一つに対応する優先度を記憶するメモリを更に有する、
付記１乃至５のいずれか一項に記載の中継装置。
（付記７）
前記メモリに記憶された優先度のうち高い優先度に対応するアクセスノードに、前記情報を送信する、
付記６記載の中継装置。
（付記８）
前記メモリに記憶された優先度のうち低い優先度に対応するアクセスノードに、前記情報を送信しない、
付記６記載の中継装置。
（付記９）
前記優先度は、
前記優先度に対応づけられたアクセスノードの利用頻度に基づいて設定される、
付記６乃至８のいずれか一項に記載の中継装置。
（付記１０）
前記インターフェースの利用を中断することを示す前記情報は、
前記情報を受信するアクセスノードが有するタイマーのための設定情報を含む、
付記２または４記載の中継装置。
（付記１１）
中継装置に接続するアクセスノードであって、
前記中継装置を介して前記アクセスノードと他のアクセスノードとを接続するインターフェースが使用可能か否かに関する情報を前記中継装置から受信するように構成される受信機を有する、
アクセスノード。
（付記１２）
前記アクセスノードは、
タイマーを更に有し、
前記情報は、
前記タイマーのための設定情報を含む、
付記１１記載のアクセスノード。
（付記１３）
前記タイマーは、
前記設定情報に基づきスタートし、
前記タイマーが満了するまでに、前記インターフェースの利用を復旧することを示す情報を受信した場合、
前記タイマーが停止する、
付記１２記載のアクセスノード。
（付記１４）
前記タイマーは、
前記設定情報に基づきスタートし、
前記タイマーが満了するまでに、前記インターフェースの利用を復旧することを示す情報を受信しない場合、
中断している前記インターフェースが利用可能であると判断するプロセッサを更に有する、
付記１２記載のアクセスノード。
（付記１５）
前記受信する情報が前記インターフェースの利用を中断することを示す場合、
前記インターフェースの利用が中断されることを、前記アクセスノードに接続するコアネットワークに通知する送信機を更に有する、
付記１１乃至１４のいずれか一項に記載のアクセスノード。
（付記１６）
複数のアクセスノードに接続するように構成される中継装置を有する無線通信システムであって、
前記中継装置が、
前記中継装置を介して第１のアクセスノードと第２のアクセスノードとを接続するインターフェースが使用可能か否かに関する情報を、
前記第１のアクセスノードと前記第２のアクセスノードとの少なくとも一方に送信する、
無線通信システム。
（付記１７）
複数のアクセスノードに接続するように構成される中継装置の制御方法をコンピュータに実行させるプログラムであって、
前記中継装置を介して第１のアクセスノードと第２のアクセスノードとを接続するインターフェースが使用可能か否かを決定し、
前記決定された結果に基づく情報を、前記第１のアクセスノードと前記第２のアクセスノードとの少なくとも一方に送信する、
ことを実行させるためのプログラム。
（付記１８）
中継装置に接続するアクセスノードの制御方法をコンピュータに実行させるプログラムであって、
前記中継装置を介して前記アクセスノードと他のアクセスノードとを接続するインターフェースが使用可能か否かに関する情報を前記中継装置から受信する、
ことを実行させるためのプログラム。
（付記１９）
複数のアクセスノードに接続するように構成される中継装置の制御方法であって、
前記中継装置を介して第１のアクセスノードと第２のアクセスノードとを接続するインターフェースが使用可能か否かを決定し、
前記決定された結果に基づく情報を、前記第１のアクセスノードと前記第２のアクセスノードとの少なくとも一方に送信する、
中継装置の制御方法。
（付記２０）
前記情報は、
前記インターフェースの利用を中断することを示す、
付記１９記載の中継装置の制御方法。
（付記２１）
前記情報は、
前記インターフェースの利用を復旧することを示す、
付記１９記載の中継装置の制御方法。
（付記２２）
前記情報は、
Ｘ２  Ｓｕｓｐｅｎｄメッセージである、
付記２０記載の中継装置の制御方法。
（付記２３）
前記情報は、
Ｘ２  Ｒｅｓｕｍｅメッセージである、
付記２１記載の中継装置の制御方法。
（付記２４）
前記複数のアクセスノードのうち少なくとも一つに対応する優先度を記憶する、
付記１９乃至２３記載のいずれか一項に記載の中継装置の制御方法。
（付記２５）
前記記憶された優先度のうち高い優先度に対応するアクセスノードに、前記情報を送信する、
付記２４記載の中継装置の制御方法。
（付記２６）
前記記憶された優先度のうち低い優先度に対応するアクセスノードに、前記情報を送信しない、
付記２４記載の中継装置の制御方法。
（付記２７）
前記優先度は、
前記優先度に対応づけられたアクセスノードの利用頻度に基づいて設定される、
付記２４乃至２６のいずれか一項に記載の中継装置の制御方法。
（付記２８）
前記インターフェースの利用を中断することを示す前記情報は、
前記情報を受信するアクセスノードが有するタイマーのための設定情報を含む、
付記２０または２２記載の中継装置の制御方法。
（付記２９）
中継装置に接続するアクセスノードの制御方法であって、
前記中継装置を介して前記アクセスノードと他のアクセスノードとを接続するインターフェースが使用可能か否かに関する情報を前記中継装置から受信する、
アクセスノードの制御方法。
（付記３０）
前記情報は、
前記アクセスノードのタイマーのための設定情報が含む、
付記２９記載のアクセスノードの制御方法。
（付記３１）
前記タイマーは、
前記設定情報に基づきスタートし、
前記タイマーが満了するまでに、前記インターフェースの利用を復旧することを示す情報を受信した場合、
前記タイマーが停止する、
付記３０記載のアクセスノードの制御方法。
（付記３２）
前記タイマーは、
前記設定情報に基づきスタートし、
前記タイマーが満了するまでに、前記インターフェースの利用を復旧することを示す情報を受信しない場合、
中断している前記インターフェースが利用可能であると判断する、
付記３０記載のアクセスノードの制御方法。
（付記３３）
前記受信する情報が前記インターフェースの利用を中断することを示す場合、
前記インターフェースの利用が中断されることを、前記アクセスノードに接続するコアネットワークに通知する、
付記２９乃至３２のいずれか一項に記載のアクセスノードの制御方法。
（付記３４）
複数のアクセスノードに接続するように構成される中継装置を有する無線通信システムの制御方法であって、
前記中継装置が、
前記中継装置を介して第１のアクセスノードと第２のアクセスノードとを接続するインターフェースが使用可能か否かに関する情報を、
前記第１のアクセスノードと前記第２のアクセスノードとの少なくとも一方に送信する、
無線通信システムの制御方法。
【０１４８】
この出願は、２０１５年９月１８日に出願された日本出願特願２０１５−１８５３５９を基礎とする優先権を主張し、その開示の全てをここに取り込む。
【符号の説明】
【０１４９】
１０  Ｘ２ＧＷ
２０  ｅＮＢ
２１  マクロセル
２５  ｅＮＢ
３０  ＨｅＮＢ
３５  ＨｅＮＢ
３１  フェムトセル
４０  ＥＰＣ
５０  Ｓ１インターフェース
６０  Ｘ２インターフェース
７０  ＵＥ
８０  管理装置
１１０  第１の送受信部
１２０  第２の送受信部
１３０  プロセッサ
１３１  Ｘ２接続管理コンポーネント
１３２  制御コンポーネント
１４０  メモリ
２１０  トランシーバ
２２０  プロセッサ
２３０  メモリ
２４０  タイマー
２５０  プロセッサ
４００  コネクション管理テーブル
４０１  Ｘ２コネクション管理ブロック
５０１  Ｍｅｓｓａｇｅ  Ｔｙｐｅ
５０２  Ｓｕｓｐｅｎｄｅｄ  Ｔｉｍｅ
５０３  Ｓｕｓｐｅｎｄｅｄ  ｔａｒｇｅｔ  ｅＮＢ  list
５０４  Ｔａｒｇｅｔ  ｅＮＢ  ＩＤ
６０１  Ｍｅｓｓａｇｅ  Ｔｙｐｅ
６０２  Ｒｅｓｕｍｅｄ  ｔａｒｇｅｔ  ｅＮＢ  list
６０３  Ｔａｒｇｅｔ  ｅＮＢ  ＩＤ
１０００  中継装置
１００１  プロセッサ
１００２  送信機
２０００  アクセスノード
２００１  受信機
６０００  Ｘ２インターフェース
【図１】
2017047075.tif 000003
【図２】
2017047075.tif 000004
【図３】
2017047075.tif 000005
【図４】
2017047075.tif 000006
【図５】
2017047075.tif 000007
【図６】
2017047075.tif 000008
【図７】
2017047075.tif 000009
【図８】
2017047075.tif 000010
【図９】
2017047075.tif 000011
【図１０】
2017047075.tif 000012
【図１１】
2017047075.tif 000013
【図１２】
2017047075.tif 000014
【図１３】
2017047075.tif 000015
【国際調査報告】
2017047075.tif 000016
2017047075.tif 000017
2017047075.tif 000018
2017047075.tif 000019